(57)【特許請求の範囲】
【請求項１】
手摺り本体の長さ方向の両端に、仮設足場を構成する仮設足場用構成部材に連結される２個の連結部が設けられ、これらの連結部が、前記仮設足場用構成部材が挿入されることによって前記連結部が前記仮設足場用構成部材に連結される挿入部を有している仮設足場用手摺りにおいて、
前記２個の連結部のうち、一方の連結部は、前記手摺り本体の長さ方向の端部に結合されているとともに、第１欠部が形成されたベース部材と、この第１欠部を開閉するように前記ベース部材に遊動可能に配置されているとともに、第２欠部が形成され、前記第１欠部を閉じるように前記ベース部材に対して遊動したときの前記第１欠部と前記第２欠部とによって前記仮設足場用構成部材が脱出不能となった前記挿入部を形成する遊動部材と、を含んで形成され、
他方の連結部は、前記挿入部が前記仮設足場用構成部材を挿入係止する係止凹部となっているフック部材によって形成され、
前記第１欠部を閉じるように前記ベース部材に対して前記遊動部材が遊動したときの前記第１欠部と前記第２欠部とによって形成される前記一方の連結部における前記挿入部は、この挿入部に挿入される前記仮設足場用構成部材の直径よりも小さい内外連通部を有する欠円状又は無欠円状となっており、
前記他方の連結部における前記フック部材の係止凹部は、上側の部分と、下側の部分と、前記手摺り本体の長さ方向外側の部分とが閉塞され、前記手摺り本体の長さ方向内側の部分が外部に向かって開口しているとともに、この開口部の大きさが前記仮設足場用構成部材の直径よりも大きくなっている三方閉塞状の係止凹部となっており、
前記下側の部分は、前記手摺り本体と平行になってこの手摺り本体の長さ方向内側へ延びる直線状長さを有しており、
前記他方の連結部が連結される前記仮設足場用構成部材の位置には、前記一方の連結部が連結される前記仮設足場用構成部材の位置を基準として、手摺り長さ方向にずれている２つの位置があり、前記下側の部分の前記直線状長さは、前記係止凹部の内部に前記２つの位置が入る長さになっていることを特徴とする仮設足場用手摺り。
【請求項２】
請求項１に記載の仮設足場用手摺りにおいて、手摺り長さは、作業者の両手を広げた長さよりも長くなっていることを特徴する仮設足場用手摺り。
【請求項３】
請求項１又は２に記載の仮設足場用手摺りにおいて、前記２個の連結部が連結される前記仮設足場用構成部材は、手摺り長さ方向に互いに対向して並設配置される２個の建枠の補剛材であることを特徴する仮設足場用手摺り。
【請求項４】
請求項１〜３のいずれかに記載の仮設足場用手摺りにおいて、前記遊動部材が配置された前記ベース部材と、前記フック部材とが、前記手摺り本体に対して着脱自在となっていることを特徴する仮設足場用手摺り。
【請求項５】
請求項４に記載の仮設足場用手摺りにおいて、前記遊動部材が配置された前記ベース部材には、前記第１欠部と前記第２欠部とによって形成される前記挿入部の大きさが異なる複数のものが用意され、前記フック部材には、前記係止凹部となっている前記挿入部の大きさが異なる複数のものが用意され、これらの前記遊動部材が配置された前記ベース部材とフック部材とが、前記手摺り本体に交換されて取り付け可能となっていることを特徴とする仮設足場用手摺り。
【請求項６】
請求項１〜５のいずれかに記載の仮設足場用手摺りにおいて、前記手摺り本体の長さが調整可能となっていることを特徴とする仮設足場用手摺り。
【発明の詳細な説明】
【技術分野】
【０００１】
本発明は、仮設足場のための手摺りに係り、例えば、建築作業現場や土木作業現場、さらには、解体作業現場等の各種の作業現場で組み立てられる仮設足場に利用することができるものである。
【背景技術】
【０００２】
建築作業現場や土木作業現場、解体作業現場等の各種の作業現場で組み立てられる仮設足場には、作業者の安全性を確保するために手摺りを設けることが要請されている。下記の特許文献１に示されている手摺りは、手摺り本体の長さ方向の両端に、仮設足場を構成する仮設足場用構成部材に連結される２個の連結部が設けられており、これらの連結部は、仮設足場用構成部材が挿入されることによって連結部が仮設足場用構成部材に連結される挿入部を有している。
【０００３】
特許文献１の手摺りをさらに詳しく説明すると、上述の２個の連結部のそれぞれは、手摺り本体の長さ方向の端部に結合されていて、第１欠部が形成されたベース部材と、この第１欠部を開閉するようにベース部材に遊動可能に配置されているとともに、第２欠部が形成され、第１欠部を閉じるようにベース部材に対して遊動したときの第１欠部と第２欠部とによって仮設足場用構成部材が脱出不能となった前記挿入部を形成する遊動部材と、を含んで形成されている。
【０００４】
この手摺りにおいては、遊動部材が第１欠部を閉じるようにベース部材に対して遊動することにより、第１欠部と第２欠部とによって仮設足場用構成部材が脱出不能となった挿入部が形成されるため、これらのベース部材と遊動部材を含んで形成されている手摺りの両方の連結部は、仮設足場用構成部材にロックされた状態で連結されることになる。また、それぞれの遊動部材を、第１欠部を開けるようにベース部材に対して遊動させることにより、仮設足場用構成部材に対するそれぞれの連結部のロック状態は解除されるため、手摺りの両方の連結部を仮設足場用構成部材から分離させ、手摺りを仮設足場用構成部材から取り外すことができる。
【特許文献１】特開２００７−４６３８２
【発明の開示】
【発明が解決しようとする課題】
【０００５】
しかし、上記特許文献１の手摺りでは、ベース部材に対して遊動する遊動部材によって仮設足場用構成部材にロック状態で連結される連結部は、手摺り本体の長さ方向の両方の端部に設けられているため、手摺りを仮設足場用構成部材から取り外すためには、作業者が両手を広げることによって両方の遊動部材をベース部材に対して同時に上記ロック時とは逆方向へ遊動させ、これにより、ベース部材の第１欠部を開ける作業を同時に行わなければならない。これによると、仮設足場用構成部材から手摺りを取り外すための作業に手間がかかり、また、手摺りの長さが長い場合には、手摺り本体の長さ方向の両端に設けられている遊動部材を同時に遊動操作することは困難であるため、仮設足場用構成部材からの手摺りの取り外し作業が難しくなる。
【０００６】
本発明の目的は、仮設足場用構成部材から容易に取り外すことができるようになる仮設足場用手摺りを提供するところにある。
【課題を解決するための手段】
【０００７】
本発明に係る仮設足場用手摺りは、手摺り本体の長さ方向の両端に、仮設足場を構成する仮設足場用構成部材に連結される２個の連結部が設けられ、これらの連結部が、前記仮設足場用構成部材が挿入されることによって前記連結部が前記仮設足場用構成部材に連結される挿入部を有している仮設足場用手摺りにおいて、前記２個の連結部のうち、一方の連結部は、前記手摺り本体の長さ方向の端部に結合されているとともに、第１欠部が形成されたベース部材と、この第１欠部を開閉するように前記ベース部材に遊動可能に配置されているとともに、第２欠部が形成され、前記第１欠部を閉じるように前記ベース部材に対して遊動したときの前記第１欠部と前記第２欠部とによって前記仮設足場用構成部材が脱出不能となった前記挿入部を形成する遊動部材と、を含んで形成され、他方の連結部は、前記挿入部が前記仮設足場用構成部材を挿入係止する係止凹部となっているフック部材によって形成されていることを特徴とするものである。
【０００８】
この仮設足場用手摺りによると、手摺り本体の長さ方向の両端に設けられている２個の連結部のうち、一方の連結部だけが、第１欠部が形成されたベース部材と、第２欠部が形成され、第１欠部を閉じるようにベース部材に対して遊動したときの第１欠部と第２欠部とによって仮設足場用構成部材が脱出不能となった前記挿入部を形成する遊動部材と、を含んで形成されており、他方の連結部は、前記挿入部が仮設足場用構成部材を挿入係止する係止凹部となっているフック部材によって形成されているため、この手摺りを仮設足場用構成部材から取り外すときには、上記フック部材の係止凹部を仮設足場用構成部材から離脱させる前に、一方の連結部に設けられている遊動部材を、第１欠部を開けるようにベース部材に対して遊動させることにより、これらのベース部材と遊動部材を含んで形成されている前記一方の連結部を仮設足場用構成部材から離脱させ、この後に、フック部材の係止凹部を仮設足場用構成部材から離脱させることにより、手摺りを仮設足場用構成部材から取り外すことができる。
【０００９】
このため、本発明に係る手摺りを仮設足場用構成部材から取り外すために行う遊動部材の操作は、一方の連結部だけについて行えばよく、したがって、手摺りの取り外し作業を容易に行え、また、手摺りの長さが作業者の両手を広げた長さよりも長くなっていても、作業者が操作しなければならない遊動部材は、手摺り本体の長さ方向の一方の端部だけに設けられているため、長さが長くなっている手摺りを簡単に仮設足場用構成部材から取り外すことができる。
【００１０】
以上において、第１欠部を閉じるようにベース部材に対して遊動部材が遊動したときの第１欠部と第２欠部とによって形成される前記一方の連結部における挿入部の大きさや形状、及びフック部材の係止凹部によって形成される前記他方の連結部における挿入部の大きさや形状は、任意に設定することができる。
【００１１】
その一例は、第１欠部を閉じるようにベース部材に対して遊動部材が遊動したときの第１欠部と第２欠部とによって形成される前記一方の連結部における挿入部を、この挿入部に挿入される仮設足場用構成部材の直径よりも小さい内外連通部を有する欠円状又は無欠円状（欠部となっている内外連通部がない円状）とし、前記他方の連結部におけるフック部材の係止凹部を、上側の部分と、下側の部分と、手摺り本体の長さ方向外側の部分とが閉塞され、手摺り本体の長さ方向内側の部分が外部に向かって開口しているとともに、この開口部の大きさが仮設足場用構成部材の直径よりも大きくなっている三方閉塞状の係止凹部とすることである。
【００１２】
これによると、前記一方の連結部における挿入部は、この挿入部に挿入される仮設足場用構成部材の直径よりも小さい内外連通部を有する欠円状又は無欠円状となっており、他方の連結部におけるフック部材の係止凹部は、手摺り本体の長さ方向内側の部分だけ外部に向かって開口した三方閉塞状の係止凹部となっているため、手摺りを仮設足場用構成部材に取り付けた後は、遊動部材を、第１欠部を開けるようにベース部材に対して遊動させない限り、手摺りを仮設足場用構成部材から取り外すことはできない。すなわち、手摺りが仮設足場用構成部材から突然外れることを防止することができる。
【００１３】
なお、上述の欠円状又は無欠円状における「円」とは、真円でもよく、楕円でもよく、三角状の円のような多角円でもよく、その他の異形の形状等でもよい。
【００１４】
また、フック部材の係止凹部を三方閉鎖状とするための前述の下側の部分を、手摺り本体の長さ方向内側へ延びる直線状長さを有しないものとしてもよく、手摺り本体の長さ方向内側へ延びる直線状長さを有しているものとしてもよい。
【００１５】
後者によると、手摺り本体の長さ方向の両端に設けられた２個の連結部が連結される仮設足場用構成部材同士の間隔が異なっている仮設足場についても、この間隔の違いを上記下側の部分の直線状長さで吸収することにより、本発明に係る手摺りを共通して使用できるようになる。
【００１６】
さらに、遊動部材が配置されたベース部材や、フック部材は、手摺り本体に対して溶接等で取り外し不能に結合してもよく、あるいは、遊動部材が配置されたベース部材と、フック部材とを、手摺り本体に対して着脱自在としてもよい。
【００１７】
後者によると、手摺り本体と、遊動部材が配置されたベース部材と、フック部材とのうちで、損傷したものが生じたときには、損傷したものを交換することができ、また、損傷していないものを、損傷したものを交換した後でもそのまま使用することができる。
【００１８】
また、遊動部材が配置されたベース部材や、フック部材を、手摺り本体に対して着脱自在とすることにより、これらのベース部材とフック部材とを、太さや長さ等が異なる手摺り本体に対して共通使用することもできるようになる。すなわち、手摺り本体を太さや長さ等が異なるものに交換し、この交換された手摺り本体にベース部材とフック部材とをそのまま使用することもできる。
【００１９】
また、このように遊動部材が配置されたベース部材や、フック部材を、手摺り本体に対して着脱自在とする場合には、遊動部材が配置されたベース部材として、第１欠部と第２欠部とによって形成される前記挿入部の大きさが異なる複数のものを用意するとともに、フック部材として、係止凹部となっている前記挿入部の大きさが異なる複数のものを用意し、これらの遊動部材が配置されたベース部材とフック部材とを、手摺り本体に交換して取り付け可能とすることが好ましい。
【００２０】
これによると、手摺り本体の長さ方向の両端に設けられている２個の連結部に連結される仮設足場用構成部材が、直径（太さ）の異なるものに変更されても、これらの仮設足場用構成部材にそれぞれの連結部を連結することができるようになり、本発明に係る手摺りは、直径の異なる仮設足場用構成部材に対する汎用性を有するようになる。
【００２１】
さらに、手摺り本体の長さを一定としてもよく、あるいは、手摺り本体の長さを調整可能としてもよい。
【００２２】
後者によると、手摺りが架け渡される２個の仮設足場用構成部材の間の間隔が異なる各種の仮設足場についても手摺りを共通して使用できるようになり、手摺りの汎用性が向上する。
【００２３】
なお、手摺り本体の長さを調整可能とする構造は、任意であり、この構造は、例えば、直径が異なる複数のパイプ材をスライド可能な入れ子式にして連結したものでもよく、複数のリンク部材同士を菱形等に連結することにより、変形可能となったこれらのリンク部材によって手摺り本体の長さを調整可能としてよい。
【００２４】
また、以上説明した本発明において、手摺り本体は、パイプ材等による１本の棒材によって形成してもよく、あるいは、複数の棒材の組み合わせによって形成してもよく、さらに、面材と棒材等のように異種材料の組み合わせ等によって形成してもよい。
【００２５】
また、本発明に係る手摺りは、その手摺りだけが仮設足場に取り付けられるものでもよく、あるいは、ブレース等の他の部材と組み合わされて仮設足場に取り付けられるものでもよく、さらには、ブレース等の他の部材と予め組み合わされて１個のユニットを形成し、このユニットの一部として仮設足場に取り付けるものでもよい。
【００２６】
さらに、本発明に係る手摺りは、各種の作業現場で組み立てられる仮設足場に用いることができ、この仮設足場は、例えば、建築作業現場のための仮設足場でもよく、土木作業現場のための仮設足場でもよく、解体作業現場のための仮設足場でもよい。
【発明の効果】
【００２７】
本発明によると、手摺りを仮設足場用構成部材から容易に取り外すことができるようになるという効果を得られる。
【発明を実施するための最良の形態】
【００２８】
以下に本発明を実施するための形態を図面に基づいて説明する。図１は、本実施形態に係る手摺り３０が適用されている建築作業現場用の仮設足場１を示し、この仮設足場１は、それぞれの下端がベーススピンドル２で支持されて手摺り３０の長さ方向に並設配置された建枠３同士を布板４で連結しているとともに、建枠３に突設されているグラビティロックピン５にブレース６の端部を挿入係合することにより、手摺り３０の長さ方向に互いに対向配置された建枠３同士をＸ字状にクロス配置された２本のブレース６で連結することによっても形成されている。
【００２９】
本実施形態の手摺り３０は仮設足場１に二段手摺りを形成するために用いられるため、手摺り３０の長さ方向に互いに対向している２個の建枠３の補剛材７に上下２個の手摺り３０のそれぞれの長さ方向の両端が連結されることにより、仮設足場１に二段手摺りが設けられている。これを具体的に説明すると、それぞれの補剛材７は、下部が略水平となった縦方向の略Ｊ字状補剛部材７Ａと、この補剛部材７Ａと建枠３の本体との間に架設された水平方向の補剛部材７Ｂと、で形成されているため、下段の手摺り３０は、手摺り３０の長さ方向に互いに対向している２個の建枠３の縦方向の補剛部材７Ａの下部同士の間に架け渡され、上段の手摺り３０は、手摺り３０の長さ方向に互いに対向している２個の建枠３の補剛部材７Ｂ同士の間に架け渡される。これにより、上下二段の手摺り３０と、Ｘ字状にクロス配置された２本のブレース６とにより、仮設足場１に、安全上有効な手摺り構造体ができあがる。
【００３０】
図２は、手摺り３０の全体を示す正面図である。手摺り３０は、左右方向の長さを有する手摺り本体３１と、この手摺り本体３１の長さ方向の一方の端部に設けられ、上記建枠３の補剛材７に連結される連結部３２と、手摺り本体３１の長さ方向の他方の端部に設けられ、上記建枠３の補剛材７に連結される連結部６２と、からなる。手摺り本体３１は、両端が押し潰し加工で鉛直の扁平部３３Ａとなっている１本のパイプ材３３で形成されている。
【００３１】
手摺り３０の両方の連結部３２，６２のうち、先ずはじめに、一方の連結部３２について説明する。この連結部３２は、図３にも示されているとおり、扁平部３３Ａにボルト・ナット３４で結合されたベース部材３５と、このベース部材３５に対し、頭部３６Ａ付きの第１ピン３６及び頭部３７Ａ付きの第２ピン３７で鉛直面において遊動可能に取り付けられた遊動部材３８と、からなる。手摺り本体３１に対して鉛直姿勢となっているこれらのベース部材３５と遊動部材３８は厚板材で形成されているとともに、ベース部材３５の上端は水平に折り曲げられた折り曲げ部３５Ａとなっており、この折り曲げ部３５Ａが扁平部３３Ａの上辺部に係止された状態でベース部材３５が扁平部３３Ａにボルト・ナット３４で結合されることにより、ベース部材３５は、ボルト・ナット３４を中心とする回転が止められて手摺り本体３１に取り付けられている。
【００３２】
図４はベース部材３５の正面図で、図５は遊動部材３８の正面図である。図４に示すように、ベース部材３５には、ボルト・ナット３４のボルトを挿通するボルト孔３９が形成されているとともに、第１及び第２ピン３６，３７の軸部３６Ｂ，３７Ｂ（図６及び図７参照）を挿入固定するピン孔４０，４１も上下に形成されている。また、ベース部材３５には、下向きに開口した第１欠部４２が形成され、この第１欠部４２は、上部の半円形部４２Ａと、この半円形部４２Ａの直径寸法と同じ左右の幅寸法を有し、ベース部材３５の下辺３５Ｂから半円形部４２Ａまで達することによって半円形部４２Ａをベース部材３５の外部へ連通させている上下方向の連通部４２Ｂと、からなる。上部の半円形部４２Ａの直径は、手摺り３０の連結部３２，６２が連結される仮設足場用構成部材となっている建枠１の補剛材７の直径よりも少し大きい。
【００３３】
図５に示すように、遊動部材３８には長孔４３が形成され、この長孔４３は、図６及び図７に示されているとおり、第１及び第２ピン３６，３７の軸部３６Ｂ、３７Ｂが挿入されてこれらのピン３６，３７の頭部３６Ａ，３７Ａで抜け止め係止されるガイド長孔であり、このガイド長孔４３は、図７で示されているように、連結部３２が図１の仮設足場１の構成部材である建枠３の前述した補剛材７に連結されたときに、言い換えると、遊動部材３８の姿勢が図７で示す姿勢となったときに、略Ｊ字をなす形状となっているため、ガイド長孔４３は、図５で示すように、上下方向に延びる第１長孔部４３Ａと、この第１長孔部４３Ａの下端から斜め下側であって手摺り３０の長さ方向外側へ延びる第２長孔部４３Ｂと、からなる。また、ガイド長孔４３には、第１長孔部４３Ａと第２長孔部４３Ｂとの接続部において、手摺り３０の長さ方向外側からガイド長孔４３の内側へ突出する突出部４４が形成されているとともに、第１長孔部４３Ａにおいて、ガイド長孔４３から手摺り３０の長さ方向内側へ凹出する窪み部４５が形成されている。
【００３４】
また、遊動部材３８の下部には、連結部３２が図７で示したように建枠３の補剛材７に連結されたときに、手摺り３０の長さ方向内側から外側へ延びていて、ベース部材３５の第１欠部４２の連通部４２Ｂを手摺り３０の長さ方向内側から半分以上塞ぐための延出部４６が形成され、この延出部４６の上側は、遊動部材３８に形成された第２欠部４７となっている。この第２欠部４７は、ベース部材３５の第１欠部４２の半円形部４２Ａと同じ曲率半径で形成された湾曲凹状部となっており、また、第２欠部４７の上部には、手摺り３０の長さ方向外側へ突出した突起部４８が設けられている。
【００３５】
さらに、遊動部材３８には、手摺り３０の長さ方向における延出部４６とは反対側において、手摺り３０の長さ方向内側であって斜め下側へ延出した指掛け部４９が設けられている。
【００３６】
以上において、遊動部材３８のガイド長孔４３は、ベース部材３５に固定されている第１及び第２ピン３６，３７の軸部３６Ｂ，３７Ｂに対してスライド自在となっているため、指掛け部４９に掛けた指によって遊動部材３８に鉛直方向への回動力を作用させると、遊動部材３８は、ガイド長孔４３と第１及び第２ピン３６，３７の案内作用により、ベース部材３５に対して鉛直面内で遊動運動する。
【００３７】
図６は、連結部３２を建枠３の補剛材７に連結する前におけるその連結部３２の形状を示している。このときにおける第１ピン３６の軸部３６Ｂはガイド長孔４３の窪み部４５に挿入係合しているとともに、第２ピン３７の軸部３７Ｂはガイド長孔４３の第２長孔部４３Ｂの終端部近くに挿入係合している。これにより、遊動部材３８は、第１ピン３６又は第２ピン３７を中心に鉛直面内で回動することが阻止されて、ベース部材３５に対して一定姿勢を維持している。また、このときには、遊動部材３８の延出部４６は、ベース部材３５の第１欠部４２の連通部４２Ｂから外れた位置にあり、このため、遊動部材３８はこの第１欠部４２を開いており、また、このときには、遊動部材３８の突起部４８は、この第１欠部４２内に突出している。
【００３８】
次に、図２で示した手摺り３０の連結部３２，６２のうち、他方の連結部６２について説明する。この連結部６２は、図８に示されているとおり、手摺り本体３１を形成している前述のパイプ材３３の扁平部３３Ａにボルト・ナット６４で結合された厚板材によるフック部材６５によって形成されている。このフック部材６５の上端は、水平に折り曲げられた折り曲げ部６５Ａとなっており、この折り曲げ部６５Ａが扁平部３３Ａの上辺部に係止された状態でフック部材６５が扁平部３３Ａにボルト・ナット６４で結合されることにより、フック部材６５は、ボルト・ナット６４を中心とする回転が止められて手摺り本体３１に取り付けられている。
【００３９】
フック部材６５は、建枠３の補剛材７を挿入係止するための係止凹部６６を有しており、この係止凹部６６は、上側の部分６６Ａと、下側の部分６６Ｂと、手摺り３０の長さ方向外側の部分６６Ｃとが閉塞され、手摺り３０の長さ方向内側の部分６６Ｄが外部に向かって、言い換えると、手摺り３０の長さ方向内側に向かって開口している三方閉塞状の係止凹部となっており、手摺り３０の長さ方向内側の部分６６Ｄの開口部の大きさは、補剛材７の直径よりも少し大きくなっている。
【００４０】
また、下側の部分６６Ｂは、手摺り３０の長さ方向内側へ延びる直線状部分６６Ｅを備えたものとなっている。すなわち、この下側の部分６６Ｂは、手摺り３０の長さ方向内側へ延びる直線状長さを有している。
【００４１】
なお、図８では、上側の部分６６Ａは、下側の部分６６Ｂ及び手摺り３０の長さ方向外側の部分６６Ｃと同じく、フック部材６５自身によって形成されているが、この上側の部分６６Ａを手摺り本体３１によって形成してもよい。
【００４２】
手摺り３０を、図１で示した仮設足場１の互いに対向する建枠３の補剛材７同士の間に架け渡す作業を行うときには、先ずはじめに、手摺り３０の連結部６２におけるフック部材６５の係止凹部６６に、図８に示されているように、一方の建枠３の補剛材７を、この係止凹部６６における手摺り３０の長さ方向内側の部分６６Ｄの開口部から挿入して係止する。次いで、手摺り３０の連結部３２における遊動部材３８を、図６に示されているように、この遊動部材３８によってベース部材３５の第１欠部４２が閉じられない位置へ指掛け部４９による操作で遊動させておき、次いで、手摺り３０の連結部３２を他方の建枠３の補剛材７に向かって上から落とし込む。
【００４３】
これにより、ベース部材３５の第１欠部４２内に突出していた遊動部材３８の突起部４８には、補剛材７から上向きの荷重が作用し、このため、遊動部材３８は少し浮き上がりながら突起部４８が手摺り３０の長さ方向内側へ回動する遊動運動を行い、この運動に引き続いて遊動部材３８は、遊動部材３８自身の自重によって落下するため、図７で示すように、第１ピン３６の軸部３６は、ガイド長孔４３の第１長孔部４３Ａの上端部に挿入係合し、第２ピン３７の軸部３７Ｂは、ガイド長孔４３における窪み部４５の下側部分であって前記突出部４４が突出している部分に挿入係合する。
【００４４】
このように遊動部材３８が遊動して落下する運動を行うことは、遊動部材３８によってベース部材３５の第１欠部４２が閉じられることであり、すなわち、この第１欠部４２の連通部４２Ｂの左右幅寸法の半分以上は、図７で示されているとおり、遊動部材３８の延出部４６によって閉じられる。そして、このように第１欠部４２の連通部４２Ｂの左右幅寸法の半分以上が遊動部材３８の延出部４６によって閉じられると、連結部３２には、ベース部材３５の第１欠部４２と遊動部材３８の第２欠部４７とにより、補剛材７が挿入された挿入部５０が形成されることになり、この挿入部５０は、断面が円形となっている補剛材７のその断面形状と対応して開口した略円形であって、円周方向の一部が欠けた欠円状となっている。そして、円周方向の一部が欠けた部分は内外連通部５０Ａとなっており、この内外連通部５０Ａの大きさは、手摺り３０が連結される仮設足場用構成部材となっている補剛材７の直径よりも小さい。
【００４５】
このため、遊動部材３８が遊動することによって形成される挿入部５０は、補剛材７が脱出不能となった挿入部になるとともに、手摺り本体３１の一方の端部に設けられていて、この挿入部５０を有している連結部３２は、ロック状態で補剛材７に連結されたことになる。
【００４６】
また、手摺り３０の他方の端部に設けられた図８の連結部６２は、前述したように、フック部材６５の係止凹部６６に補剛材７が挿入係止されることにより、この補剛材７に連結されており、このため、係止凹部６６が、手摺り３０の連結部６２に補剛材７を挿入係止して連結するための挿入部５２となっている。
【００４７】
また、手摺り３０の一方の連結部３２に配置されている遊動部材３８が図７で示した位置へ遊動することにより、この連結部３２に上述の挿入部５０が形成されたときには、遊動部材３８がベース部材３５に対して遊動することが第１ピン３６及び第２ピン３７によって阻止されており、したがって、これらのピン３６，３７は、ベース部材３５に対する遊動部材３８の遊動を止めるためのストップ手段５１を構成している。
【００４８】
手摺り３０を図１の仮設足場１から取り外すときには、先ずはじめに、遊動部材３８の前述の指掛け部４９に指を掛けることにより、遊動部材３８の全体を持ち上げつつ突起部４８が手摺り３０の長さ方向外側へ回動する遊動運動を遊動部材３８に行わせ、これにより、遊動部材３８は図６の位置へ戻ることになり、これによってベース部材３５の第１欠部４２は開放されて挿入部５０は大きく開口するため、連結部３２を、この挿入部５０に挿入されていた補剛材７から抜き取ることができる。
【００４９】
この後、フック部材６５の係止凹部６６から、この係止凹部６６に挿入されていた補剛材７を抜き取り、これにより、補剛材７を有する建枠１等によって形成されている図１の仮設足場１から手摺り３０の全体を取り外すことができる。
【００５０】
以上説明した本実施形態によると、手摺り３０の長さ方向の両端に設けられている２個の連結部３２，６２のうち、一方の連結部３２だけが、ベース部材３５と、このベース部材３５に対して遊動する遊動部材３８とによって建枠３の補剛材７が脱出不能となった挿入部５０を有するものになっており、他方の連結部６２は、挿入部５２が建枠３の補剛材７を挿入係止するための係止凹部６６となっているフック部材６５によって形成されているため、手摺り３０を仮設足場１から取り外すために行う遊動部材３８の遊動操作は、一方の連結部３２だけについて行えばよい。
【００５１】
したがって、手摺り３０の取り外し作業を容易に行えることになり、また、手摺り３０の長さが作業者の両手を広げた長さよりも長くなっていても、作業者が操作しなければならない遊動部材３８は、手摺り３０の長さ方向の一方の端部だけに設けられているため、長さが長くなっている手摺り３０を簡単に仮設足場１から取り外すことができる。
【００５２】
また、第１欠部４２を閉じるようにベース部材３５に対して遊動部材３８が遊動したときの第１欠部４２と第２欠部４７とによって形成される一方の連結部３２における挿入部５０は、この挿入部５０に挿入される建枠３の補剛材７の直径よりも小さい内外連通部５０Ａを有する欠円状となっており、他方の連結部６２におけるフック部材６５の係止凹部６６は、上側の部分６６Ａと、下側の部分６６Ｂと、手摺り３０の長さ方向外側の部分６６Ｃとが閉塞され、手摺り３０の長さ方向内側の部分６６Ｄが外部に向かって開口しているとともに、この開口部の大きさが建枠３の補剛材７の直径よりも大きくなっている三方閉塞状の係止凹部となっているため、手摺り３０の長さ方向の両端の連結部３２，６２を建枠３の補剛材７に連結した後は、遊動部材３８をベース部材３５に対して遊動させない限り、手摺り３０を建枠３の補剛材７から離脱させることはできない。すなわち、手摺り３０が仮設足場１から突然外れることを防止することができる。
【００５３】
また、係止凹部６６における上述の下側の部分６６Ｂは、手摺り３０の長さ方向内側へ延びる直線状長さを有するものとなっているため、この係止凹部６６に挿入係止される建枠３の補剛材として、前述の図８の補剛材７の他に、図８で示した補剛材７’があり、この補剛材７’の位置が、２個の連結部３２，６２のうちの一方の連結部３２に連結される補剛材の位置を基準として、図８の補剛材７の位置よりも手摺り３０の長さ方向にずれていても、これらの補剛材７，７’について手摺り３０を共通して使用することができる。
【００５４】
すなわち、手摺り３０の長さ方向の両端に設けられた２個の連結部３２，６２が連結される建枠３の補剛材同士の間隔が異なっている仮設足場についても、この間隔の違いを下側の部分６６Ｂの直線状長さで吸収することができ、手摺り３０を共通して使用できるようになる。
【００５５】
このように建枠３の補剛材同士の間隔が異なっている仮設足場が存在する理由は、建枠３を含めて組み立てられる仮設足場には、メートル基準の寸法で設計されているものと、インチ基準の寸法で設計されているものとがあるためである。
【００５６】
また、本実施形態によると、遊動部材３８が配置されたベース部材３５と、フック部材６５とは、手摺り本体３１にボルト・ナット３４，６４によって着脱可能に取り付けられているため、手摺り本体３１と、遊動部材３８が配置されたベース部材３５と、フック部材６５とのうちで、損傷したものが生じたときには、損傷したものを交換することができ、また、損傷していないものを、損傷したものを交換した後でもそのまま使用することができる。
【００５７】
また、遊動部材３８が配置されたベース部材３５と、フック部材６５とを、太さや長さ等が異なる手摺り本体に対して共通して使用することもできるようになる。すなわち、手摺り本体が損傷していなくても、あるいは、手摺り本体が損傷していても、手摺り本体を太さや長さ等が異なるものに交換し、この交換された手摺り本体に、遊動部材３８が配置されたベース部材３５と、フック部材６５とをそのまま使用することができる。
【００５８】
図９は、手摺り３０の長さ方向の一方の端部に設けられる連結部３２が、直径の大きい仮設足場用構成部材７Ａに連結することができるものになっている実施形態を示し、図１０は、手摺り３０の長さ方向の一方の端部に設けられる連結部３２が、直径の小さい仮設足場用構成部材７Ｂに連結することができるものになっている実施形態を示す。これらの実施形態でも、一方の上記連結部３２は、ベース部材１３５，２３５と、ベース部材１３５，２３５に遊動自在に配置された遊動部材１３８，２３８によって形成されている。そして、ベース部材１３５の第１欠部１４２と遊動部材１３８の第２欠部１４７とによって仮設足場用構成部材７Ａが脱出不能に形成される挿入部１５０の大きさは、前述の実施形態の挿入部５０の大きさよりも大きい。また、ベース部材２３５の第１欠部２４２と遊動部材２３８の第２欠部２４７とによって仮設足場用構成部材７Ｂが脱出不能に形成される挿入部２５０の大きさは、前述の実施形態の挿入部５０の大きさよりも小さい。
【００５９】
図１１は、手摺り３０の長さ方向の他方の端部に設けられる連結部６２が、直径の大きい仮設足場用構成部材７Ａに連結することができるものになっている実施形態を示し、図１２は、手摺り３０の長さ方向の他方の端部に設けられる連結部６２が、直径の小さい仮設足場用構成部材７Ｂに連結することができるものになっている実施形態を示す。これらの実施形態でも、他方の上記連結部６２は、係止凹部１６６，２６６を有するフック部材１６５，２６５によって形成されており、係止凹部１６６によって形成される挿入部１５２の大きさは、前記実施形態の挿入部５２の大きさよりも大きく、係止凹部２６６によって形成される挿入部２５２の大きさは、前記実施形態の挿入部５２の大きさよりも小さい。
【００６０】
この実施形態でも、遊動部材１３８，２３８が配置されたベース部材１３５，２３５は手摺り本体３１にボルト・ナット３４で着脱可能に取り付けられ、フック部材１６５，２６５も手摺り本体３１にボルト・ナット６４で着脱可能に取り付けられている。
【００６１】
このため、この実施形態によると、遊動部材１３８，２３８が配置されたベース部材１３５，２３５には、ベース部材１３５，２３５の第１欠部と遊動部材２３８，２３８の第２欠部によって形成される挿入部１５０，２５０の大きさが異なる複数のものが用意されていることになり、フック部材１６５，２６５にも、係止凹部１６６，２６６となっている挿入部１５２，２５２の大きさが異なる複数のものが用意されていることになり、これらのベース部材１３５，２３５とフック部材１６５，２６５とが、手摺り本体３１に交換されて取り付け可能となっている。
【００６２】
このため、この実施形態によると、手摺り３０の長さ方向の両端に設けられている２個の連結部３２，６２に連結される仮設足場用構成部材７Ａ，７Ｂが、直径（太さ）の異なるものに変更されても、これらの仮設足場用構成部材７Ａ，７Ｂにそれぞれの連結部３２，６２を連結することができ、手摺り３０は、直径の異なる仮設足場用構成部材７Ａ，７Ｂに対する汎用性を有するようになる。
【００６３】
なお、この実施形態における仮設足場用構成部材７Ａ，７Ｂは、図１で説明した建枠３の補剛材７を構成している部材であって、下部が略水平となった縦方向の略Ｊ字状補剛部材７Ａと、この補剛部材７Ａと建枠３の本体との間に架設された水平方向の補剛部材７Ｂと、である。
【００６４】
このように、この実施形態に係る手摺り３０の両端の連結部３２，６２に連結される仮設足場用構成部材が同じ建枠３の補剛材７であっても、連結部３２，６２を構成する部材を手摺り本体３１に対して着脱自在としておくことにより、補剛材７を構成している直径（太さ）が異なる複数の部材に有効に対処できるようになる。もちろん、連結部３２，６２を構成する部材を手摺り本体３１に対して着脱自在としておくことは、それぞれ別の仮設足場用構成部材に連結部３２，６２を連結する場合にも適用できる。
【００６５】
図１３及び図１４は、手摺り３０の手摺り本体１３１を、これまでの実施形態よりも直径の大きい１本のパイプ１３３で形成した実施形態を示している。すなわち、この実施形態では、直径の大きいパイプ１３３の一方の端部に、遊動部材３８が配置されたベース部材３５がボルト・ナット３４で連結され、他方の端部にフック部材６５がボルト・ナット６４で連結されている。この実施形態で示されているように、ボルト・ナット３４，６４で連結部３２，６２が着脱可能に連結される手摺り本体は、直径が異なるパイプに交換することによってその太さを変更することができる。
【００６６】
図１５は、手摺り本体３１の長さを伸縮可能とした実施形態の手摺り３０を示す。この実施形態の手摺り本体３１は一本のパイプ材で形成されておらず、この手摺り本体３１は、片側の端部に、遊動部材３８が配置されたベース部材３５がボルト・ナット３４で連結された第１基本パイプ材３３３と、片側の端部に、フック部材６５がボルト・ナット６４で連結された第２基本パイプ材３３４と、内径及び外径が同じになっているこれらの基本パイプ材３３３，３３４のうち、第２基本パイプ３３４の内部に一方の端部側が挿入され、この第２基本パイプ材３３４に溶接部３３５で接合一体化された延長パイプ材３３６と、からなり、第１基本パイプ材３３３の内部には、延長パイプ材３３６の他方の端部側がスライド自在に挿入されている。
【００６７】
第１基本パイプ材３３３の外周面にはナット３３７が取り付けられ、このナット３３７に螺入されたボルト３３８は第１基本パイプ材３３３を貫通してこのパイプ材３３３に内部に侵入可能である。延長パイプ材３３６を第１基本パイプ材３３３に対してスライドさせて手摺り本体３１の全長が所定の長さになったときに、ボルト３３８を回転操作してその先端を延長パイプ材３３６に強く当接させることにより、手摺り本体３１をその長さに固定することができる。
【００６８】
この実施形態によると、手摺り本体３１の長さを調整できるため、手摺り３０を架け渡す２個の仮設足場用構成部材の間の間隔が異なっている各種の仮設足場についても、手摺り３０を共通使用できるようになり、手摺り３０の汎用性が一層向上する。
【産業上の利用可能性】
【００６９】
本発明は、作業者の安全のために仮設足場に設けられる手摺りに利用できる。
【図面の簡単な説明】
【００７０】
【図１】図１は、本発明の一実施形態に係る手摺りが適用されている建築作業現場用の仮設足場を示す斜視図である。
【図２】図２は、図１で示されている手摺りの全体を示す正面図である。
【図３】図３は、手摺りの一方の連結部を示す斜視図である。
【図４】図４は、ベース部材の正面図である。
【図５】図５は、遊動部材の正面図である。
【図６】図６は、図３で示されている一方の連結部を仮設足場用構成部材である図１の建枠の補剛材に連結する前におけるその連結部の形状を示す正面図である。
【図７】図７は、図３で示されている一方の連結部を仮設足場用構成部材である図１の建枠の補剛材に連結した後におけるその連結部の形状を示す正面図である。
【図８】図８は、手摺りの他方の連結部を示す正面図である。
【図９】図９は、直径が大きい仮設足場用構成部材に適用できる一方の連結部の実施形態を示す正面図である。
【図１０】図１０は、直径が小さい仮設足場用構成部材に適用できる一方の連結部の実施形態を示す正面図である。
【図１１】図１１は、直径が大きい仮設足場用構成部材に適用できる他方の連結部の実施形態を示す正面図である。
【図１２】図１２は、直径が小さい仮設足場用構成部材に適用できる他方の連結部の実施形態を示す正面図である。
【図１３】図１３は、手摺り本体が直径の大きいパイプで形成されている手摺りの実施形態を示す一方の連結部の正面図である。
【図１４】図１４は、手摺り本体が直径の大きいパイプで形成されている手摺りの実施形態を示す他方の連結部の正面図である。
【図１５】図１５は、手摺り本体の長さが調整可能となっている実施形態を示す手摺りの一部破断の正面図である。
【符号の説明】
【００７１】
１，１１  仮設足場
３，  仮設足場用構成部材である建枠
７，７’  仮設足場用構成部材である建枠の補剛材
１６  仮設足場用構成部材である単管による水平材
３０  手摺り
３１，１３１  手摺り本体
３２  一方の連結部
３５，１３５，２３５  ベース部材
３８，１３８，２３８  遊動部材
４２，１４２，２４２  第１欠部
４７，１４７，２４７  第２欠部
５０，５２，１５０，２５０，１５２，２５２  挿入部
５０Ａ  内外連通部
６２  他方の連結部
６５  フック部材
６６，１６６，２６６  係止凹部
６６Ａ  上側の部分
６６Ｂ  下側の部分
６６Ｃ  手摺り本体の長さ方向外側の部分
６６Ｄ  手摺り本体の長さ方向内側の部分
６６Ｅ  手摺り本体の長さ方向内側へ延びる直線状長さの部分
【図１】
0005202033.tif 000002
【図２】
0005202033.tif 000003
【図３】
0005202033.tif 000004
【図４】
0005202033.tif 000005
【図５】
0005202033.tif 000006
【図６】
0005202033.tif 000007
【図７】
0005202033.tif 000008
【図８】
0005202033.tif 000009
【図９】
0005202033.tif 000010
【図１０】
0005202033.tif 000011
【図１１】
0005202033.tif 000012
【図１２】
0005202033.tif 000013
【図１３】
0005202033.tif 000014
【図１４】
0005202033.tif 000015
【図１５】
0005202033.tif 000016